(57)【要約】      （修正有）【課題】広領域撮像における、画像のつなぎ合わせのための操作者の操作を簡易とする。【解決手段】主制御部１０７は、２枚の親画像のそれぞれに操作者による操作に応じて関心点を設定する。主制御部１０７は、２枚の親画像のそれぞれの関心点をパニングにより一致させるように２枚の親画像を配列した状態で表示部１０５に表示させる。【選択図】図１
2007289669.tif 000002
【特許請求の範囲】
【請求項１】
撮像位置が異なる複数の医用画像を表示する表示部と、
前記複数の医用画像のそれぞれに操作者による操作に応じて関心点を設定する設定部と、
前記複数の医用画像のそれぞれの前記関心点を一致させるように前記表示部に表示される前記複数の医用画像を配列する配列部と、
前記配列部により配列された前記複数の医用画像に関する後処理を行う後処理部とを具備したことを特徴とする医用画像処理装置。
【請求項２】
前記設定部は、前記関心点を一致させたのちに前記複数の医用画像の表示範囲を相対的に変化させたときに、当該表示範囲の変化に伴って前記関心点どうしに生じるずれを補償するように前記複数の医用画像のそれぞれに関する関心点を相対的に更新することを特徴とする請求項１に記載の医用画像処理装置。
【請求項３】
前記後処理部は、前記複数の医用画像のそれぞれの関心点を一致させた状態で、前記複数の医用画像のうちの少なくとも１つの表示倍率を変化させることを特徴とする請求項１に記載の医用画像処理装置。
【請求項４】
前記後処理部は、前記複数の医用画像の表示濃度を相対的に変化させることを特徴とする請求項１に記載の医用画像処理装置。
【請求項５】
前記後処理部は、前記複数の医用画像のそれぞれの関心点の表示上での画像値、前記複数の医用画像のそれぞれの平均表示濃度または前記複数の医用画像のそれぞれに含まれる重複領域のそれぞれの平均表示濃度が同じになるように前記表示濃度を変化させることを特徴とする請求項４に記載の医用画像処理装置。
【請求項６】
前記後処理部は、前記操作者による操作に応じて前記表示濃度を変化させることを特徴とする請求項４に記載の医用画像処理装置。
【請求項７】
前記表示画面に表示されている状態で前記複数の医用画像をつなぎ合わせた１枚の医用画像を生成する生成部をさらに備えることを特徴とする請求項１に記載の医用画像処理装置。
【請求項８】
前記配列部により配列された前記複数の医用画像の境界を表すマークを前記表示部での表示画像に付加する付加部をさらに備えることを特徴とする請求項１に記載の医用画像処理装置。
【請求項９】
前記配列部は、前記表示部により表示される複数の医用画像とはスライスが異なる別の複数の医用画像があるときに、前記別の複数の医用画像を前記表示部により表示される複数の医用画像と同様に配列することを特徴とする請求項１に記載の医用画像処理装置。
【請求項１０】
被検体から放出される磁気共鳴信号を利用して被検体を撮像する撮像部と、
前記撮像部による撮像位置を変えながらの撮像により得られた複数の画像を表示する表示部と、
前記複数の画像のそれぞれに操作者による操作に応じて関心点を設定する設定部と、
前記複数の画像のそれぞれの前記関心点を一致させるように前記表示部に表示される前記複数の画像を配列する配列部と、
前記配列部により配列された前記複数の医用画像に関する後処理を行う後処理部とを具備したことを特徴とする磁気共鳴イメージング装置。
【請求項１１】
撮像位置が異なる複数の医用画像を表示器に表示させ、
前記複数の医用画像のそれぞれに操作者による操作に応じて関心点を設定し、
前記複数の医用画像のそれぞれの前記関心点を一致させるように前記表示部に表示される前記複数の医用画像を配列し、
前記配列部により配列された前記複数の医用画像に関する後処理を行うことを特徴とする医用画像処理方法。
【発明の詳細な説明】
【技術分野】
【０００１】
本発明は、撮像位置が異なる複数の医用画像を、内蔵または外付けの表示器の表示画面に同時に表示させる医用画像処理装置およびその方法、ならびに被検体から放出される磁気共鳴信号を利用して被検体を撮像する磁気共鳴イメージング装置に関する。
【背景技術】
【０００２】
近年、複数回の撮像をその合間に寝台を移動させつつ行うことで、１回の撮像で撮り切れない程の広い領域を撮像する手法（以下、広領域撮像と呼ぶ）が利用されるようになってきている。
【０００３】
この場合、１回の撮影毎に個別に得られる複数枚の画像をつなぎ合わせることにより、広領域に対応した１枚の画像を生成する。このつなぎ合わせのための画像の位置合わせを手動で行う場合には、つなぎ合わせる複数の画像に対して、パニング（表示範囲の変更）およびズーミング（表示倍率の変更）を組み合わせて、これらの画像をつなぎ合わせるのに適する配置とする。
【特許文献１】特開２０００−２６８１７８
【発明の開示】
【発明が解決しようとする課題】
【０００４】
しかしながら、一般にパニング操作の次にズーミング操作が行われるが、ズーミング操作に応じたズーミング処理は画像中心を支点として行われるため上記のパニング操作であわせた繋ぎ合わせ部分がズレてしまう。このため操作者は、パニング操作およびズーミング操作を繰り返し、徐々に繋ぎ合わせたい状態に近づけていくという煩雑な操作を強いられることがあった。
【０００５】
本発明はこのような事情を考慮してなされたものであり、その目的とするところは、画像のつなぎ合わせのための操作者の操作を簡易とすることにある。
【課題を解決するための手段】
【０００６】
本発明の第１の態様による医用画像処理装置は、撮像位置が異なる複数の医用画像を表示する表示部と、前記複数の医用画像のそれぞれに操作者による操作に応じて関心点を設定する設定部と、前記複数の医用画像のそれぞれの前記関心点を一致させるように前記表示部に表示される前記複数の医用画像を配列する配列部と、前記配列部により配列された前記複数の医用画像に関する後処理を行う後処理部とを備える。
【０００７】
本発明の第２の態様による磁気共鳴イメージング装置は、被検体から放出される磁気共鳴信号を利用して被検体を撮像する撮像部と、前記撮像部による撮像位置を変えながらの撮像により得られた複数の画像を表示する表示部と、前記複数の画像のそれぞれに操作者による操作に応じて関心点を設定する設定部と、前記複数の画像のそれぞれの前記関心点を一致させるように前記表示部に表示される前記複数の画像を配列する配列部と、前記配列部により配列された前記複数の医用画像に関する後処理を行う後処理部とを備える。
【０００８】
本発明の第３の態様による医用画像処理方法は、撮像位置が異なる複数の医用画像を表示器に表示させ、前記複数の医用画像のそれぞれに操作者による操作に応じて関心点を設定し、前記複数の医用画像のそれぞれの前記関心点を一致させるように前記表示部に表示される前記複数の医用画像を配列し、前記配列部により配列された前記複数の医用画像に関する後処理を行う。
【発明の効果】
【０００９】
本発明によれば、画像のつなぎ合わせのための操作者の操作を簡易とすることができる。
【発明を実施するための最良の形態】
【００１０】
以下、図面を参照して本発明の一実施形態について説明する。
【００１１】
図１は本実施形態に係る磁気共鳴イメージング装置（ＭＲＩ装置）の構成を示す図である。この図１に示すＭＲＩ装置は、静磁場磁石１、傾斜磁場コイル２、傾斜磁場電源３、寝台４、寝台制御部５、送信ＲＦコイル６、送信部７、受信ＲＦコイル８、受信部９および計算機システム１０を具備する。
【００１２】
静磁場磁石１は、中空の円筒形をなし、内部の空間に一様な静磁場を発生する。この静磁場磁石１としては、例えば永久磁石、超伝導磁石等が使用される。
【００１３】
傾斜磁場コイル２は、中空の円筒形をなし、静磁場磁石１の内側に配置される。傾斜磁場コイル２は、互いに直交するＸ，Ｙ，Ｚの各軸に対応する３種類のコイルが組み合わされている。傾斜磁場コイル２は、上記の３つのコイルが傾斜磁場電源３から個別に電流供給を受けて、磁場強度がＸ，Ｙ，Ｚの各軸に沿って変化する傾斜磁場を発生する。なお、Ｚ軸方向は、例えば静磁場と同方向とする。Ｘ，Ｙ，Ｚ各軸の傾斜磁場は、例えば、スライス選択用傾斜磁場Ｇs、位相エンコード用傾斜磁場Ｇeおよびリードアウト用傾斜磁場Ｇrにそれぞれ対応する。スライス選択用傾斜磁場Ｇsは、任意に撮像断面を決めるために利用される。位相エンコード用傾斜磁場Ｇeは、空間的位置に応じて磁気共鳴信号の位相を変化させるために利用される。リードアウト用傾斜磁場Ｇrは、空間的位置に応じて磁気共鳴信号の周波数を変化させるために利用される。
【００１４】
被検体２００は、寝台４の天板４１に載置された状態で傾斜磁場コイル２の空洞（撮像口）内に挿入される。寝台４の天板４１は寝台制御部５により駆動され、その長手方向および上下方向に移動する。通常、この長手方向が静磁場磁石１の中心軸と平行になるように寝台４が設置される。
【００１５】
送信ＲＦコイル６は、傾斜磁場コイル２の内側に配置される。送信ＲＦコイル６は、送信部７から高周波パルスの供給を受けて、高周波磁場を発生する。
【００１６】
送信部７は、ラーモア周波数に対応する高周波パルスを送信ＲＦコイル６に送信する。
【００１７】
受信ＲＦコイル８は、傾斜磁場コイル２の内側に配置される。受信ＲＦコイル８は、上記の高周波磁場の影響により被検体から放射される磁気共鳴信号を受信する。受信ＲＦコイル８からの出信号は、受信部９に入力される。
【００１８】
受信部９は、受信ＲＦコイル８からの出力信号に基づいて磁気共鳴信号データを生成する。
【００１９】
計算機システム１０は、インタフェース部１０１、データ収集部１０２、再構成部１０３、記憶部１０４、表示部１０５、入力部１０６および主制御部１０７を有している。
【００２０】
インタフェース部１０１には、傾斜磁場電源３、寝台制御部５、送信部７、受信ＲＦコイル８および受信部９等が接続される。インタフェース部１０１は、これらの接続された各部と計算機システム１０との間で授受される信号の入出力を行う。
【００２１】
データ収集部１０２は、受信部９から出力されるデジタル信号をインタフェース部１０１を介して収集する。データ収集部１０２は、収集したデジタル信号、すなわち磁気共鳴信号データを、記憶部１０４に格納する。
【００２２】
再構成部１０３は、記憶部１０４に記憶された磁気共鳴信号データに対して、後処理、すなわちフーリエ変換等の再構成を実行し、被検体２００内の所望核スピンのスペクトラムデータあるいは画像データを求める。
【００２３】
記憶部１０４は、磁気共鳴信号データと、スペクトラムデータあるいは画像データとを、患者毎に記憶する。
【００２４】
表示部１０５は、スペクトラムデータあるいは画像データ等の各種の情報を主制御部１０７の制御の下に表示する。表示部１０５としては、液晶表示器などの表示デバイスを利用可能である。
【００２５】
入力部１０６は、オペレータからの各種指令や情報入力を受け付ける。入力部１０６としては、マウスやトラックボールなどのポインティングデバイス、モード切替スイッチ等の選択デバイス、あるいはキーボード等の入力デバイスを適宜に利用可能である。
【００２６】
主制御部１０７は、図示していないＣＰＵやメモリ等を有しており、本実施形態のＭＲＩ装置を総括的に制御する。主制御部１０７は、ＭＲＩ装置における周知の機能を実現するための制御機能の他に、次のような各種の機能を持つ。この機能の１つは、撮像位置を変えながらの撮像により得られた２枚の画像を、表示部１０５の表示画面に同時に表示させる。上記の機能の１つは、上記２枚の画像のそれぞれに操作者による操作に応じて関心点を設定する。上記の機能の１つは、２枚の画像のそれぞれの関心点を一致させるように２枚の画像を配列した状態で表示部１０５に表示させる。上記の機能の１つは、２枚の画像を表示部１０５に表示した状態でつなぎ合わせた１枚の画像を生成する。
【００２７】
次に以上のように構成されたＭＲＩ装置の動作について説明する。
【００２８】
被検体２００を撮像するための動作は、従来よりあるＭＲＩ装置と同様であるので、ここではその詳細な説明は省略する。そしてここでは、撮像位置を変えながらの２回の撮像を行うことで得られた２枚の親画像をつなぎ合わせて接合画像を生成する動作について詳細に説明する。
【００２９】
図２は２枚の親画像をつなぎ合わせて接合画像を生成するための主制御部１０７の処理手順を示すフローチャートである。
【００３０】
ステップＳａ１において主制御部１０７は、つなぎ合わせの対象として操作者により指定された第１および第２の２枚の親画像を並べて表示部１０５に表示させる。親画像のうちの表示領域外にはみ出している部分については、表示部１０５においては表示させない。また、親画像のうちの他の親画像に重なる部分については、表示部１０５においては表示させない。
【００３１】
ステップＳａ２において主制御部１０７は、親画像のそれぞれに対して、操作者による操作に応じて関心点を設定する。図３はこのときにおける表示部１０５の表示画面の一例を示す図である。この図３に示す表示画面には、第１の親画像の一部を切り出した画像Ａ１と第２の親画像の一部を切り出した画像Ｂ１とが表されている。そして図３に示す表示画面は、第１の親画像に関心点Ｐ１が設定され、第２の親画像に関心点Ｐ２が設定されている様子を表している。なお主制御部１０７は、表示部１０５の表示画面には、親画像どうしの境界を表すマークＭ１を図３に示すように表すようにしても良い。
【００３２】
ステップＳａ３において主制御部１０７は、設定された２つの関心点が２枚の親画像の境界において一致するように親画像をそれぞれパニングする。なおこのときに主制御部１０７は、２つの関心点の表示上での画像値が同じになるように、２枚の親画像のそれぞれの表示濃度を相対的に変化させるようにしても良い。また、この表示濃度の調整を行う場合、２枚の親画像のそれぞれの平均表示濃度または２枚の親画像のそれぞれに含まれる重複領域のそれぞれの平均表示濃度が同じになるように表示濃度を変化させることもできる。図４は図３に示す関心点Ｐ１，Ｐ２を一致させたのちにおける表示部１０５の表示画面の一例を示す図である。この図４に示す表示画面は、それに表される画像を画像Ａ２およびＢ２に変更するように第１および第２の親画像をそれぞれパニングしたことによって、画像Ａ２と画像Ｂ２との境界にて関心点Ｐ１，Ｐ２が一致している。
【００３３】
ステップＳａ４乃至ステップＳａ６において主制御部１０７は、調整指示、保存指示または仮止め指示がなされるのを待ち受ける。以下、この待ち受け状態を第１の待ち受け状態と称する。
【００３４】
操作者は、関心点が一致された画像を確認し、表示範囲、表示倍率または表示濃度の調整を指示するための操作を、必要に応じて入力部１０６にて行う。このような調整指示がなされたならば主制御部１０７は、ステップＳａ４からステップＳａ７へ進む。
【００３５】
ステップＳａ７において主制御部１０７は、操作者による指示に応じて、親画像に関する表示範囲、表示倍率または表示濃度を相対的に変更する。
【００３６】
このときに、表示範囲の調整が指示されたならば主制御部１０７は、第１および第２の親画像を相対的にパニングする。関心点は、原則的には第１および第２の親画像に共通に映った部位に設定されるべきであるが、マウス操作の精度のために、実際には若干のずれが生じることがある。このような場合に、この表示範囲の調整を利用することにより、第１および第２の親画像のつなぎ合わせ状態を微調整することができる。なおこの表示範囲の調整により第１および第２の親画像のそれぞれの関心点が表示画面上でずれるので、主制御部１０７は一方の親画像の関心点を他方の親画像の関心点に一致するように更新する。このとき、例えば第１および第２の両親画像の関心点をそれらの中間点に移動させるようにするなどして、第１および第２の親画像の関心点をともに更新しても良い。
【００３７】
表示倍率の調整が指示されたならば主制御部１０７は、第１および第２の親画像の表示倍率を相対的に変更するように第１および第２の親画像の少なくともいずれか一方を拡大・縮小する。このときに主制御部１０７は、表示倍率を変更する親画像の関心点を拡大・縮小処理の基準点とすることで、各親画像の関心点を一致した状態に維持する。
【００３８】
通常、ここでの表示範囲、表示倍率または表示濃度の変更は、操作者により指定された一方の親画像のみを対象とする。しかし、互いに異なる条件で第１および第２の親画像の表示範囲、表示倍率または表示濃度をそれぞれ変更しても良い。例えば、ある一定の濃度値が指定された場合に、第１および第２の親画像のそれぞれの平均濃度が上記の指定された濃度となるように第１および第２の親画像の濃度を個別に変更する。図５は図４に示す状態から第２の親画像の表示倍率を変更したのちにおける表示部１０５の表示画面の一例を示す図である。この図５に示す表示画面においては、第２の親画像についての表示倍率を横方向についてのみ小さくするよう変更していることにより、第２の親画像から切り出されて表示画面に表される画像が、図４における画像Ｂ２から画像Ｂ３に変更されている。操作者の指示通りの変更を終えたならば、主制御部１０７は第１の待ち受け状態に戻る。
【００３９】
操作者は、第１および第２の親画像を所望のつなぎ合わせ状態に設定し終えた場合には、保存を指示する操作または仮止めを指示する操作を入力部１０６にて行う。このような仮止め指示がなされたならば主制御部１０７は、ステップＳａ６からステップＳａ８乃至ステップＳａ１０の待ち受け状態へ進む。以下、この待ち受け状態を第２の待ち受け状態と称する。
【００４０】
第２の待ち受け状態において主制御部１０７は、調整指示、保存指示または画像追加指示がなされるのを待ち受ける。
【００４１】
操作者は、現在表示中の画像を確認し、表示範囲、表示倍率、表示濃度または表示位置の調整を指示するための操作を、必要に応じて入力部１０６にて行う。このような調整指示がなされたならば主制御部１０７は、ステップＳａ８からステップＳａ１１へ進む。
【００４２】
ステップＳａ１１において主制御部１０７は、操作者による指示に応じて、表示範囲、表示倍率、表示濃度または表示位置を、第１および第２の親画像の関係を維持したままで一律的に変更する。このときに主制御部１０７は、第１および第２の親画像の関心点を互いに一致させた状態に維持する。図６は図５に示す状態から第１および第２の親画像の表示位置を変更したのちにおける表示部１０５の表示画面の一例を示す図である。この図６においては、表示位置を図５に示す表示位置に対して上方に移動させている。すなわち、第１および第２の親画像を同じ方向に同じ量だけ一律的に移動させている。このような移動の結果、表示画面における第１の親画像の表示範囲が狭くなったために、図６に示す表示画面では第１の親画像に関しての表示が画像Ａ３に変更されている。操作者の指示通りの変更を終えたならば、主制御部１０７は第２の待ち受け状態に戻る。
【００４３】
操作者は、現在表示中の画像にさらに別の親画像をつなぎ合わせたい場合には、画像追加を指示する操作を入力部１０６にて行う。このような画像追加指示がなされたならば主制御部１０７は、ステップＳａ１０からステップＳａ１２へ進む。
【００４４】
ステップＳａ１２において主制御部１０７は、現在表示中の画像に並べて、新たなつなぎ合わせの対象として指定された画像を表示部１０５に表示させる。こののち、主制御部１０７は、ステップＳａ２以降の処理を繰り返す。このときに主制御部１０７は、画像追加指示がなされたときに既に表示されていた画像を１枚の親画像として扱うとともに、ステップＳａ１２で追加表示した画像をもう１枚の親画像として扱う。
【００４５】
操作者は、表示部１０５に表示されている画像が所望の画像となったならば、保存を指示する操作を入力部１０６にて行う。このような保存指示がなされたならば主制御部１０７は、ステップＳａ５またはステップＳａ９からステップＳａ１３へ進む。
【００４６】
ステップＳａ１３において主制御部１０７は、表示部１０５に表示中の画像を１枚の画像として記憶部１０４に保存する。主制御部１０７なお、ここで保存する画像には、マークＭ１をそのまま含めても良いし、マークＭ１を含めなくても良い。
【００４７】
以上のように本実施形態によれば、第１および第２の親画像のそれぞれに設定した関心点が互いに一致するように、各親画像のそれぞれの表示範囲を自動的に変更する。このため、各親画像に共通に映っていて操作者がつなぎ合わせたいと考える部位にそれぞれ関心点を設定すれば、当該部位が同一位置に表示されるように各親画像が表示されるようになり、操作者が意図するつなぎ合わせ状態で第１および第２の親画像の表示が行われるようになる。従って、操作者は、複雑なパニングのための操作を行う必要がない。
【００４８】
また本実施形態によれば、２つの関心点を一致させたのちでも、操作者による操作に応じて第１および第２の親画像のそれぞれの表示範囲を相対的に変更可能としている。そして、各表示範囲が相対的に変更されたことに応じて２つの関心点がずれた場合には、このずれを補償して２つの関心点が一致するように関心点を更新する。従って、関心点の設定の誤差により第１および第２の親画像の間に操作者の意に沿わないずれが生じた場合には、このずれを解消するよう調整することが可能である。そして関心点は自動的に一致するように更新されるから、上記の関心点の設定の誤差を自動的に補償することができる。この結果、より高精度なつなぎ合わせが可能になるとともに、関心点の設定に拘わる操作者の負担も軽い。
【００４９】
また本実施形態によれば、第１および第２の親画像の表示倍率を相対的に変化しても、２つの関心点は一致したままに維持されるから、操作者が当初に意図したつなぎ合わせ関係がずれてしまうことがない。この結果、再度のパニングを行ってつなぎ合わせ関係の修正を行わなければならない場合に比べて、操作者の負担を大幅に軽減することができる。
【００５０】
また本実施形態によれば、仮止め指示がなされた以降における表示範囲、表示倍率、表示濃度または表示位置の変更は、第１および第２の親画像の関係を維持したままで一律的に行うため、操作者は第１および第２の親画像を１枚の画像として取り扱うことができ、それら２つの親画像をそれぞれ個別に調整する場合に比べて操作者の負担を軽減することができる。
【００５１】
また本実施形態によれば、３枚目以降の親画像をさらにつなぎ合わせる場合には、それまでに仮止めされた画像を１枚の親画像として扱うから、２枚の親画像をつなぎ合わせる操作を繰り返せば良く、３枚の親画像を同時に配列させる操作を行う場合に比べて操作者の負担を軽減することができる。
【００５２】
また本実施形態によれば、マークＭ１を表示画面に表すようにしているので、第１および第２の親画像の境界を操作者が容易に認識することができる。
【００５３】
この実施形態は、次のような種々の変形実施が可能である。
【００５４】
３Ｄ撮像またはマルチスライス撮像のために異なる複数のスライスについて撮像された複数組の親画像が存在する場合、１つのスライスについての複数の親画像について上記のように行われた処理の結果を、その他のスライスについての複数の親画像に対して共通に適用しても良い。例えば図７に示すようにｎスライスのそれぞれについて親画像Ｃ−１，Ｃ−２，Ｃ−３…，Ｃ−ｎおよび親画像Ｄ−１，Ｄ−２，Ｄ−３…，Ｄ−ｎがそれぞれ図７に示すような位置関係の画像として存在しているとする。この状態から親画像Ｃ−１が左向きにパニングするように指示された場合には、親画像Ｃ−１〜Ｃ−ｎの全てを同様に左向きにパニングして、図８に示すような状態とする。このようにすれば、操作者は複数のスライスのそれぞれについて同様な操作を繰り返し行う必要が無く、操作者の負担を軽減することができる。
【００５５】
３枚以上の親画像を一度の操作に応じてつなぎ合わせるようにしても良い。
【００５６】
撮像機能を有さずＭＲＩ装置等から出力された親画像を図２に示すような処理手順により処理する機能を備えた医用画像処理装置として実現することも可能である。
【００５７】
上述したような画像の表示を、外付けされた表示器に行わせるようにしても良い。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５９】
【図１】本発明の一実施形態に係る磁気共鳴イメージング装置（ＭＲＩ装置）の構成を示す図。
【図２】２枚の親画像をつなぎ合わせて接合画像を生成するための図１中の主制御部１０７の処理手順を示すフローチャート。
【図３】関心点の設定後における図１中の表示部１０５の表示画面の一例を示す図。
【図４】図３に示す関心点Ｐ１，Ｐ２を一致させたのちにおける図１中の表示部１０５の表示画面の一例を示す図。
【図５】図４に示す親画像の表示倍率を相対的に変更したのちにおける図１中の表示部１０５の表示画面の一例を示す図。
【図６】図５に示す状態から表示位置を変更したのちにおける図１中の表示部１０５の表示画面の一例を示す図。
【図７】３Ｄ撮像またはマルチスライス撮像のために異なる複数のスライスについて撮像された複数組の親画像の位置関係の一例を示す図。
【図８】図７に示す状態から１つの親画像の変更指示に応じて全てのスライスについての親画像の位置関係を変更する様子を示す図。
【符号の説明】
【００６０】
１…静磁場磁石、２…傾斜磁場コイル、３…傾斜磁場電源、４…寝台、５…寝台制御部、６…送信ＲＦコイル、７…送信部、８…受信ＲＦコイル、９…受信部、１０…計算機システム、１０１…インタフェース部、１０２…データ収集部、１０３…再構成部、１０４…記憶部、１０５…表示部、１０６…入力部、１０７…制御部。
【図１】
2007289669.tif 000003
【図２】
2007289669.tif 000004
【図３】
2007289669.tif 000005
【図４】
2007289669.tif 000006
【図５】
2007289669.tif 000007
【図６】
2007289669.tif 000008
【図７】
2007289669.tif 000009
【図８】
2007289669.tif 000010